(57)【要約】【課題】全体のスイッチギヤ面数を増やさずに、スイッチギヤの外形寸法、特に高さ寸法を抑えることができるガス絶縁スイッチギヤを得る。【解決手段】常用と予備の２回線で受電すると共に、２系統で負荷に給電する受変電設備１において、電力取引量を計測する計器用変圧変流器３０を収納した計器用変圧変流器用スイッチギヤ１５内の計器用変圧変流器３０の上部には、隣接して設けられる第１の受電スイッチギヤ１１と第１の負荷給電スイッチギヤ１３とを接続する母線３１、３２を配置した。【選択図】図１
2015159676.tif 000002
【特許請求の範囲】
【請求項１】
常用と予備の２回線で受電すると共に、２系統で負荷に給電する受変電設備において、
上記受変電設備は、電力取引量を計測する計器用変圧変流器を収納する計器用変圧変流器用スイッチギヤと、
上記計器用変圧変流器用スイッチギヤに隣接して設けられ、上記計器用変圧変流器の一次側に接続される第１の開閉手段を収納すると共に第１の受電系統に接続される第１の受電スイッチギヤと、
上記計器用変圧変流器用スイッチギヤを介して上記第１の受電スイッチギヤと反対側に隣接して設けられ、上記計器用変圧変流器の二次側に接続される第２の開閉手段を収納すると共に第１の負荷給電系統に接続される第１の負荷給電スイッチギヤと、
上記第１の受電スイッチギヤを介して上記計器用変圧変流器用スイッチギヤと反対側に隣接して設けられ、第２の受電系統に接続される第２の受電スイッチギヤと、
上記第２の受電スイッチギヤを介して上記第１の受電スイッチギヤと反対側に隣接して設けられ、第２の負荷給電系統に接続される第２の負荷給電スイッチギヤと、により構成され、
上記計器用変圧変流器用スイッチギヤの内部における上記計器用変圧変流器の上部には、上記計器用変圧変流器の一次側と上記第１の開閉手段を接続する母線と、上記計器用変圧変流器の二次側と上記第２の開閉手段を接続する母線を配置したことを特徴とする受変電設備。
【請求項２】
上記第１の受電スイッチギヤと上記第２の受電スイッチギヤ、及び上記第１の負荷給電スイッチギヤと上記第２の負荷給電スイッチギヤは、それぞれ区画スペーサにより本体タンクと上記本体タンクの上部に設置される母線タンクに区画され、
上記第１の受電スイッチギヤの母線タンクに、上記第１の受電系統に接続する開閉手段と、上記計器用変圧変流器の一次側に接続する開閉手段と、上記第２の受電スイッチギヤに接続する開閉手段を備え、
上記第１の負荷給電スイッチギヤの母線タンクに、上記第１の負荷給電系統に接続する開閉手段と、上記計器用変圧変流器の二次側に接続する開閉手段と、上記第２の負荷給電スイッチギヤに接続する開閉手段を備え、
上記第２の受電スイッチギヤの母線タンクに、上記第２の受電系統に接続する開閉手段と、上記第１の受電スイッチギヤに接続する開閉手段を備え、
上記第２の負荷給電スイッチギヤの母線タンクに、上記第２の負荷給電系統に接続する開閉手段と、上記第１の負荷給電スイッチギヤに接続する開閉手段と、上記第２の受電スイッチギヤに接続する開閉手段を備えたことを特徴とする請求項１に記載の受変電設備。
【請求項３】
上記第１の受電系統に接続する開閉手段と上記第２の受電スイッチギヤに接続する開閉手段は、上記第１の受電スイッチギヤの母線タンクの前面に配置されると共に、上記計器用変圧変流器の一次側に接続する開閉手段は上記第１の受電スイッチギヤの母線タンクの後面に配置され、
上記第１の負荷給電系統に接続する開閉手段と上記第２の負荷給電スイッチギヤに接続する開閉手段は、上記第１の負荷給電スイッチギヤの母線タンクの前面に配置されると共に、上記計器用変圧変流器の二次側に接続する開閉手段は上記第１の負荷給電スイッチギヤの母線タンクの後面に配置されることを特徴とする請求項２に記載の受変電設備。
【請求項４】
上記第１の受電スイッチギヤと上記第２の受電スイッチギヤを接続する第１のバイパス母線と、上記第１の負荷給電スイッチギヤと上記第２の負荷給電スイッチギヤを接続する第２のバイパス母線を上記受変電設備の上面前後に配置し、
上記計器用変圧変流器用スイッチギヤの一次側と上記第１の受電スイッチギヤを接続する母線、及び上記計器用変圧変流器用スイッチギヤの二次側と上記第１の負荷給電スイッ
チギヤを接続する母線、並びに上記第２の受電スイッチギヤと上記第２の負荷給電スイッチギヤを接続する母線を上記受変電設備の後面に配置したことを特徴とする請求項１から請求項３の何れか一項に記載の受変電設備。
【請求項５】
上記第１及び第２の受電系統に用いられるケーブルと、上記第１及び第２の負荷給電系統に用いられるケーブルのケーブルターミナルは、上記ケーブルの引き込み方向に対応して、設置方向を上方あるいは下方に対応できることを特徴とする請求項１から請求項４の何れか一項に記載の受変電設備。
【発明の詳細な説明】
【技術分野】
【０００１】
この発明は、常用と予備の２回線で受電すると共に、２系統で負荷に給電する受変電設備に関するものである。
【背景技術】
【０００２】
従来、例えば特開２０１１−０６６９６２号公報（特許文献１）において、常用と予備の２回線で受電する受電ユニット及び２系統の負荷給電ユニットの間に、電力取引量を計測する計器用変圧変流器（Voltage and Current Transformer）（以下、ＶＣＴという。
）をバイパスさせた、常予備２回線ＶＣＴバイパス２バンクの設備例が開示されており、その中で用いられているＶＣＴの上部には、ＶＣＴ一次側及び二次側の開閉器が配設されている。ＶＣＴは適用電圧クラス、絶縁方式及び構造によって様々な製品があるため、ＶＣＴを収納するガス絶縁スイッチギヤは、全種類のＶＣＴが収納できるように大きなスペースを確保する必要があった。
【先行技術文献】
【特許文献】
【０００３】
【特許文献１】特開２０１１−０６６９６２号公報
【発明の概要】
【発明が解決しようとする課題】
【０００４】
従来のガス絶縁スイッチギヤでは、ＶＣＴ上部に開閉器を配設することで、スイッチギヤ全体の寸法、特に高さ寸法が大きくなるため、受変電設備の縮小化が困難であった。また、高さ寸法が大きいことで輸送時の制限を受けることになり、もしくは、低床トレーラを採用する必要があるといった問題があった。
【０００５】
この発明は、上記のような問題を解決するためになされたもので、全体のスイッチギヤ面数を増やさずに、外形寸法、特に高さ寸法を抑えた受変電設備を得ることを目的とするものである。
【課題を解決するための手段】
【０００６】
この発明による受変電設備は、常用と予備の２回線で受電すると共に、２系統で負荷に給電する受変電設備において、上記受変電設備は、電力取引量を計測する計器用変圧変流器を収納する計器用変圧変流器用スイッチギヤと、上記計器用変圧変流器用スイッチギヤに隣接して設けられ、上記計器用変圧変流器の一次側に接続される第１の開閉手段を収納すると共に第１の受電系統に接続される第１の受電スイッチギヤと、上記計器用変圧変流器用スイッチギヤを介して上記第１の受電スイッチギヤと反対側に隣接して設けられ、上記計器用変圧変流器の二次側に接続される第２の開閉手段を収納すると共に第１の負荷給電系統に接続される第１の負荷給電スイッチギヤと、上記第１の受電スイッチギヤを介して上記計器用変圧変流器用スイッチギヤと反対側に隣接して設けられ、第２の受電系統に接続される第２の受電スイッチギヤと、上記第２の受電スイッチギヤを介して上記第１の受電スイッチギヤと反対側に隣接して設けられ、第２の負荷給電系統に接続される第２の負荷給電スイッチギヤと、により構成され、
上記計器用変圧変流器用スイッチギヤの内部における上記計器用変圧変流器の上部には、上記計器用変圧変流器の一次側と上記第１の開閉手段を接続する母線と、上記計器用変圧変流器の二次側と上記第２の開閉手段を接続する母線を配置したものである。
【発明の効果】
【０００７】
この発明によれば、計器用変圧変流器の上部に接続回路を構成する母線を配置する構成としたので、全体のスイッチギヤ面数を増やさずに、外形寸法、特に高さ寸法を抑えた受変電設備を得ることができる。
【図面の簡単な説明】
【０００８】
【図１】この発明の実施の形態１による受変電設備のスイッチギヤの配列及び単線接続図である。
【図２】図１に示す第１の受電スイッチギヤの断面図である。
【図３】図１に示す第１の負荷給電スイッチギヤの断面図である。
【図４】図１に示す計器用変圧変流器用スイッチギヤの断面図である。
【図５】この発明の実施の形態１による受変電設備の母線配置を示す平面図である。
【図６】この発明の実施の形態２による第１の受電スイッチギヤの断面図である。
【発明を実施するための形態】
【０００９】
以下、この発明による受変電設備の実施の形態について図面を参照して説明する。
【００１０】
実施の形態１．
図１は、この発明の実施の形態１を示す常用と予備の２回線ＶＣＴバイパス２バンクの受変電設備を構成するスイッチギヤの配列及び単線接続図である。図２は、図１に示す第１の受電スイッチギヤの断面図、図３は、図１に示す第１の負荷給電スイッチギヤの断面図、図４は、図１に示すＶＣＴ用スイッチギヤの断面図である。また、図５は受変電設備全体において隣接するスイッチギヤ間を接続する母線配置を示す平面図である。各図において、同一符号は同一若しくは相当部分を示している。
【００１１】
図１において、受変電設備１は、第１の受電系統２と第２の受電系統３からなる２回線で受電している。また、第１の負荷給電系統４は第１の変圧器を介して第１の負荷（何れも図示せず）に給電し、第２の負荷給電系統５は第２の変圧器を介して第２の負荷（何れも図示せず）に給電している。
【００１２】
図１に示す受変電設備１は、第１の受電スイッチギヤ１１、第２の受電スイッチギヤ１２、第１の負荷給電スイッチギヤ１３、第２の負荷給電スイッチギヤ１４、第１の受電スイッチギヤ１１と第１の負荷給電スイッチギヤ１３との間に配置されたＶＣＴ用スイッチギヤ１５の５つのスイッチギヤで構成されている。各スイッチギヤ１１、１２、１３、１４、１５は、それぞれ独立した筐体で構成され、内部に絶縁ガスを封入した密閉型のガス絶縁形のスイッチギヤとなっており、ＶＣＴ用スイッチギヤ１５に隣接して第１の受電スイッチギヤ１１と第１の負荷給電スイッチギヤ１３が配置され、第２の受電スイッチギヤ１２と第２の負荷給電スイッチギヤ１４が互いに隣接して配置されている。また、第１の受電スイッチギヤ１１、第２の受電スイッチギヤ１２、第１の負荷給電スイッチギヤ１３、第２の負荷給電スイッチギヤ１４には、主回路の上部出口近くに、それぞれ開閉手段である断路器１６、１７、１８、１９が設置されている。
【００１３】
断路器１６の第１の受電系統２側の端部とＶＣＴ３０の電源側、即ち一次側（図中Ｋ側）との間は、開閉手段である一次側三位置開閉器２０を介して母線３１によって接続されており、一次側三位置開閉器２０は、断路器１６と共に第１の受電スイッチギヤ１１の母線タンク４１内に収納されている。断路器１８の第１の負荷給電系統４側の端部とＶＣＴ３０の負荷側、即ち二次側（図中Ｌ側）との間は、開閉手段である二次側三位置開閉器２１を介して母線３２によって接続されており、二次側三位置開閉器２１は、断路器１８と共に第１の負荷給電スイッチギヤ１３の母線タンク４２内に収納されている。また、断路器１７の第２の受電系統３側端部と断路器１９の第２の負荷給電系統５側の端部との間は、開閉手段であるバイパス断路器２２を介して母線３３によって接続されており、バイパ
ス断路器２２は、断路器１９と共に第２の負荷給電スイッチギヤ１４の母線タンク４３内に収納されている。更に、断路器１６の第１の受電系統２とは反対側の端部と、断路器１７の第２の受電系統３とは反対側の端部との間は、第１のバイパス母線３４で接続されており、断路器１８の第１の負荷給電系統４とは反対側の端部と、断路器１９の第２の負荷給電系統５とは反対側の端部との間は、第２のバイパス母線３５で接続されている。
【００１４】
次に、図１の受変電設備１を構成する第１の受電スイッチギヤ１１について説明する。図２は第１の受電スイッチギヤ１１を示す図である。図２において、第１の受電スイッチギヤ１１の前面は図面左側である。第１の受電スイッチギヤ１１は、第１の受電系統２に接続され、遮断器２３ａ、三位置開閉器２４ａ及び避雷器２５ａを収納して絶縁性ガスを封入した本体タンク４４と、断路器１６、一次側三位置開閉器２０、開閉手段である三位置開閉器２４ｂ及び母線接続ブッシング２７ａ、２７ｂ、２８ａを収納して絶縁性ガスを封入した母線タンク４１と、本体タンク４４と母線タンク４１とを連結する区画スペーサ２６ａと、本体タンク４４及び母線タンク４１の前後及び底面を取り囲みながら保持する筐体５０ａとで構成されている。
【００１５】
母線タンク４１には、前面側に断路器１６及び三位置開閉器２４ｂが配設され、後面側に一次側三位置開閉器２０及び母線接続ブッシング２７ｂが配設されている。そして、三位置開閉器２４ｂと一次側三位置開閉器２０は、接触子（図示せず）によって接続されている。なお、図中では三位置開閉器２４ｂと一次側三位置開閉器２０が同一高さに取り付けられているが、必ずしも同一高さである必要はない。
【００１６】
断路器１６は母線接続ブッシング２７ａと接続されている。一方、母線接続ブッシング２８ａは母線タンク４１内の収納機器との接続がないため、母線タンク４１の気密を保ちながら、第２のバイパス母線３５を保持する機能のみであり、母線タンク４１を貫通して通電させる機能は有していない。従って、母線タンク４１の内部に高電圧部を露出させていない。このようにブッシング構造を区別することで、母線タンク４１内部の機器及びブッシングの配置をコンパクトにしている。
【００１７】
図３は、第１の負荷給電スイッチギヤ１３を示しており、図面左側が第１の負荷給電スイッチギヤ１３の前面である。図３において、第１の負荷給電スイッチギヤ１３は、第１の負荷給電系統４に接続され、遮断器２３ｂ、接地開閉器２９ａを収納して絶縁性ガスを封入した本体タンク４５と、断路器１８、二次側三位置開閉器２１、開閉手段である三位置開閉器２４ｃ及び母線接続ブッシング２７ｃ、２７ｄを収納して絶縁性ガスを封入した母線タンク４２と、本体タンク４５と母線タンク４２とを連結する区画スペーサ２６ｂと、本体タンク４５及び母線タンク４２の前後と底面を取り囲みながら保持する筐体５０ｂによりで構成されている。なお、第１の負荷給電スイッチギヤ１３の構造面の特徴及び効果は、図２で説明した第１の受電スイッチギヤ１１と同様である。
【００１８】
なお、詳細な構成については図示省略するが、第２の受電スイッチギヤ１２は第１の受電スイッチギヤ１１と同様に構成されており、図１における符号２３ｃは開閉手段である遮断器、符号２４ｄ、２４ｅは開閉手段である三位置開閉器、符号２５ｂは避雷器、符号２６ｃは区画スペーサを示している。遮断器２３ｃ、三位置開閉器２４ｅ、避雷器２５ｂは本体タンク４６に収納されており、断路器１７、三位置開閉器２４ｄは母線タンク４７に収納されている。また、第２の負荷給電スイッチギヤ１４は第１の負荷給電スイッチギヤ１３と同様に構成されており、図１における符号２３ｄは開閉手段である遮断器、符号２４ｆは開閉手段である三位置開閉器、符号２６ｄは区画スペーサ、符号２９ｂは接地開閉器を示している。遮断器２３ｄ、接地開閉器２９ｂは本体タンク４８に収納されており、断路器１９、バイパス断路器２２、三位置開閉器２４ｆは母線タンク４９に収納されている。
【００１９】
図４は、ＶＣＴ用スイッチギヤ１５を示しており、図面左側がＶＣＴ用スイッチギヤ１５の前面である。図４において、ＶＣＴ用スイッチギヤ１５は、母線接続ブッシング２７ｅ及び２８ｂと、母線接続ブッシング２７ｅとＶＣＴ３０の一次側Ｋ及び二次側Ｌに接続される導体Ｌａ、Ｌｂを収納して絶縁性ガスを封入した母線タンク４６と、ＶＣＴ３０と、母線タンク４６及びＶＣＴ３０の前後と底面を取り囲みながら保持する筐体５０ｃにより構成されている。
【００２０】
なお、母線接続ブッシング２８ｂは、図２に示す第１の受電スイッチギヤ１１の母線接続ブッシング２８ａと同様に、母線タンク４６内の収納機器との接続がないため、母線タンク４６の気密を保ちながら、第２のバイパス母線３５を保持する機能のみであり、母線タンク４６を貫通して通電させる機能は有しておらず、母線タンク４６の内部に高電圧部を露出させていない。このようにブッシング構造を区別することで、母線タンク４６内部の機器及びブッシングの配置をコンパクトにしている。
【００２１】
上記のように、ＶＣＴ３０の上部に設置された母線タンク４６内には、導体Ｌａ、Ｌｂと母線接続ブッシング２７ｅ、２８ｂが収納されているのみであり、高さ方向を絶縁に必要な寸法のみ確保して、最小限の高さ寸法で構成することが出来、図２で説明した第１の受電スイッチギヤ１１と同様の構造面の特徴及び効果を有する。
【００２２】
図５は、受変電設備１の母線配置を示す平面図である。図５において、図の上方が第１の受電スイッチギヤ１１、第２の受電スイッチギヤ１２、第１の負荷給電スイッチギヤ１３、第２の負荷給電スイッチギヤ１４、ＶＣＴ用スイッチギヤ１５のそれぞれの前面を示している。各スイッチギヤ１１、１２、１３、１４、１５の上面に第１のバイパス母線３４及び第２のバイパス母線３５が配設されており、後面に母線３１、３２、３３が配設されている。
【００２３】
本実施の形態のように、ＶＣＴ３０の一次側三位置開閉器２０及び二次側三位置開閉器２１を、隣接する第１の受電スイッチギヤ１１及び第１の負荷給電スイッチギヤ１３に収納し、ＶＣＴ３０の上部に配設する母線タンク４５の高さを削減することで、ＶＣＴ用スイッチギヤ１５の高さ寸法を削減することができる。また、受変電設備１を構成するガス絶縁スイッチギヤの高さ寸法を全体的に低くすることで、これまで配慮が必要であった輸送制限や輸送手段について制約がなくなり、輸送費の削減が実現できる。
【００２４】
また、各スイッチギヤ１１、１２、１３、１４、１５の上面に第１のバイパス母線３４及び第２のバイパス母線３５を配設し、後面に母線３１、３２、３３を配設することにより、母線を最大３系統配置できる構造にすることができ、母線配置の集積率を上げることができる。これらより、面数を増やすことなく受変電設備全体の高さ寸法が縮小できる。
【００２５】
更に、本実施の形態による母線接続ブッシング２８ａ、２８ｂのように、タンク内側に導体を露出させないブッシングを採用することで、タンク内部の絶縁スペースを縮小することが出来る。また、中心導体が貫通した母線接続ブッシング２７ａ、２７ｂ、２７ｃ、２７ｄ、２７ｅと絶縁層の形状を同一とすることで金型の共用を図ることが出来る。
【００２６】
実施の形態２．
次に、この発明の実施の形態２によるガス絶縁スイッチギヤについて説明する。図６は、実施の形態２による第１の受電スイッチギヤ６０の断面図を示し、図面左側が第１の受電スイッチギヤ６０の前面である。
図６において、第１の受電系統２のケーブルは、第１の受電スイッチギヤ６０の上方から引き込まれ、ケーブルターミナル６１を図２に対して上下反対に配設することで、本体タンク４４へ接続されている。このとき、第１の受電スイッチギヤ６０の外形寸法は、図２の下方からの引き込みのときと同一である。ケーブルターミナル６１の取り付け方法を上下反転させるのみで、ケーブルの上下の引き込みに対応できるように本体タンク４４及び母線タンク４１の奥行寸法が設定されている。なお、その他の構成については実施の形態１と同様であり、同一符号を付して重複説明を省略する。
【００２７】
このように、実施の形態２による第１の受電スイッチギヤ６０は構成されており、ケーブルの引き込み方向によるパネル構造の変更、設置計画の変更が不要となり、部品の共用化を図ることが出来る。
【００２８】
上記においては、第１の受電系統２のケーブルについて説明したが、この考え方は、第２の受電系統３のケーブル、第１の負荷給電系統４のケーブル、第２の負荷給電系統５のケーブルについても同様であって、同様の効果を得られる。
【００２９】
以上、この発明の実施の形態１と実施の形態２について説明したが、この発明は、その発明の範囲内において、各実施の形態を自由に組み合わせたり、各実施の形態を適宜、変形、省略することが可能である。
【符号の説明】
【００３０】
１  受変電設備、２  第１の受電系統、３  第２の受電系統、４  第１の負荷給電系統、５  第２の負荷給電系統、１１、６０  第１の受電スイッチギヤ、１２  第２の受電スイッチギヤ、１３  第１の負荷給電スイッチギヤ、１４  第２の負荷給電スイッチギヤ、１５  ＶＣＴ用スイッチギヤ、１６、１７、１８、１９  断路器、２０  一次側三位置開閉器、２１  二次側三位置開閉器、２２  バイパス断路器、２３ａ、２３ｂ、２３ｃ、２３ｄ  遮断器、２４ａ、２４ｂ、２４ｃ、２４ｄ、２４ｅ、２４ｆ  三位置開閉器、２５ａ、２５ｂ  避雷器、２６ａ、２６ｂ、２６ｃ、２６ｄ  区画スペーサ、２７ａ、２７ｂ、２７ｃ、２７ｄ、２７ｅ、２８ａ、２８ｂ  母線接続ブッシング、２９ａ、２９ｂ  接地開閉器、３０  ＶＣＴ、３１、３２、３３  母線、３４  第１のバイバス母線、３５  第２のバイパス母線、４１、４２、４３、４７、４９  母線タンク、４４、４５、４６、４８  本体タンク、５０ａ、５０ｂ、５０ｃ  筐体、６１  ケーブルターミナル、Ｋ  ＶＣＴの一次側、Ｌ  ＶＣＴの二次側、Ｌａ、Ｌｂ  導体。
【図１】
2015159676.tif 000003
【図２】
2015159676.tif 000004
【図３】
2015159676.tif 000005
【図４】
2015159676.tif 000006
【図５】
2015159676.tif 000007
【図６】
2015159676.tif 000008